(57)【要約】    【課題】      架空布設された場合でも、それ自体で受ける風圧荷重を低減できる架空布設長尺物を提供すること。    【解決手段】  低抵抗電線１００は、電線本体１１０の外周面１２０に形成された、角部１５３を有する複数の窪み部１５０を有する。複数の窪み部１５０は、各々菱形をなしている。これら複数の窪み部１５０は、外周面１２０に、対向する一対の角部のそれぞれの頂点部分を電線本体１１０の軸線と直交する平面に位置するようにして、等間隔に並べて配置されている。また、複数の窪み部１５０の隣り合う辺部どうしは互いに平行である。これら複数の窪み部１５０によって、電線本体１１０の外周面が受ける風圧荷重を低減する。  【選択図】      図１
2006156016.tif 000002
【特許請求の範囲】
【請求項１】
長尺物本体の外周面に、前記外周面上で前記長尺物本体の軸方向と交差する方向に屈曲する凸部が形成されていることを特徴とする架空布設長尺物。
【請求項２】
前記凸部は、前記外周面に、前記長尺物本体の周方向に並んで複数形成されていることを特徴とする請求項１記載の架空布設長尺物。
【請求項３】
前記凸部は、それぞれ同じ方向に屈曲していることを特徴とする請求項２記載の架空布設長尺物。
【請求項４】
長尺物本体の外周面に、角部を有する窪み部が形成されていることを特徴とする架空布設長尺物。
【請求項５】
前記長尺物本体の外周面に格子状の凸部が形成され、
前記窪み部は、前記外周面に、前記格子状の凸部によって仕切られることにより等間隔に複数形成されていることを特徴とする請求項４記載の架空布設長尺物。
【請求項６】
前記窪み部の開口形状は菱形であることを特徴とする請求項４または５記載の架空布設長尺物。
【請求項７】
前記複数の窪み部の各々において対向する２つの角部は、前記長尺物本体の軸線と直交する方向に並ぶ位置に配置されていることを特徴とする請求項５または６記載の架空布設長尺物。
【請求項８】
前記窪み部の開口形状は六角形であることを特徴とする請求項４記載の架空布設長尺物。
【発明の詳細な説明】
【技術分野】
【０００１】
本発明は、架空布設され、風圧を受ける低抵抗力電線等の架空布設長尺物に関する。
【背景技術】
【０００２】
従来、架空布設されている長尺物としては、架空布設される導体で構成される送電線、ワイヤ等のものと、導体上に樹脂などの被覆材を被覆したケーブル等がある。
【０００３】
これら布設長尺物において、架空送電線やワイヤ等の長尺物の外周面は、断面円形である素線の撚り合わせによって形成される小さな凹凸を有し、ケーブル等の長尺物の外周面は、外郭が円形状の被覆材の外周面によって形成されるため、平滑となっているものが一般的である。
【０００４】
このように架空布設される長尺物は、そのままの状態で布設された場合、風圧荷重を受ける。例えば、長尺物の一側面側で風圧を受ける場合、風上である一側面側では高気圧領域が発生し、風下となる他側面側で低気圧領域が発生して、長尺物自体が他側面側に押圧される。
【０００５】
このため、長尺物は、他側面側に押圧されるといった風圧特性に対応できる電柱や鉄塔などの支持物間に架設される。よって、架空布設される長尺物が受ける風圧荷重を低減できれば、支持物の強度を低減して小型化、布設コストの削減を図ることができる。
【０００６】
例えば、特許文献１では、架空送電線における撚り線の最外層素線を、角部に丸みを付けた複数のセグメント形素線によって構成することによって、架空送電線の外周面に、それぞれ送電線の軸方向に延びる複数の溝が形成されている。特許文献１では、外周面の溝によって、断面円形の電線より風圧荷重が大きく低下するものとしている。
【特許文献１】特開昭５７−９０８０９号公報
【発明の開示】
【発明が解決しようとする課題】
【０００７】
このような架空送電線等の架空布設長尺物においては、実際に支持物間に架空布設された際に、受ける風圧荷重をできるだけ低下させる構造であることが望ましく、特許文献１とは異なる手段によって、特許文献１よりも、さらに、受ける風圧荷重を低減することが望まれている。
【０００８】
本発明はかかる点に鑑みてなされたものであり、架空布設された場合でも、それ自体で受ける風圧荷重を低減できる架空布設長尺物を提供することを目的とする。
【課題を解決するための手段】
【０００９】
本発明の架空布設長尺物は、長尺物本体の外周面に、前記外周面上で前記長尺物本体の軸方向と交差する方向に屈曲する凸部が形成されている構成を採る。
【００１０】
この構成によれば、長尺物本体の外周面に形成される凸部が長尺物本体の軸方向と交差する方向に屈曲しているため、外周面が受ける風を軸方向に分散できる。よって、架空布設長尺物全体で受ける風圧荷重を低減することができる。これにより、架空布設長尺物を支持する支持物の強度を低減して小型化、布設コストの削減を図ることができる。
【００１１】
本発明の架空布設長尺物は、上記構成において、前記凸部は、前記外周面に、前記長尺物本体の周方向に並んで複数形成されている構成を採る。
【００１２】
この構成によれば、長尺物本体の周方向に、長尺物本体の軸方向と交差する方向に屈曲する凸部が並んで複数形成されているため、外周面において、周方向に回り込む風を軸方向に分散できる。よって、架空布設長尺物全体で受ける風圧荷重を低減することができる。
【００１３】
本発明の架空布設長尺物は、上記構成において、前記凸部は、それぞれ同じ方向に屈曲している構成を採る。
【００１４】
この構成によれば、外周面において、周方向に回り込む風を軸方向に分散できる。よって、架空布設長尺物全体で受ける風圧荷重を低減することができる。
【００１５】
本発明の架空布設長尺物は、長尺物本体の外周面に、角部を有する窪み部が形成されている構成を採る。なお、この窪み部は、長尺物本体の外周面に複数形成されていることが望ましく、また長尺物本体の外周面全面に渡って形成されていてもよい。
【００１６】
この構成によれば、長尺物本体の外周面に、角部を有する窪み部が形成されているため、架空布設長尺物が風に吹かれた際に、角部は外周面の窪み部に入った風を分散して、架空布設長尺物全体で受ける風圧荷重を低減することができる。
【００１７】
本発明の架空布設長尺物は、上記構成において、前記長尺物本体の外周面に格子状の凸部が形成され、前記窪み部は、前記外周面に、前記格子状の凸部によって仕切られることにより等間隔に複数形成されている構成を採る。
【００１８】
この構成によれば、長尺物本体の外周面に、格子状の凸部によって複数の窪み部が形成されているため、架空布設長尺物全面に渡って架空布設長尺物が受ける風圧荷重を低減することができる。
【００１９】
本発明の架空布設長尺物は、上記構成において、前記窪み部の開口形状は菱形であることを特徴とする。
【００２０】
この構成によれば、架空布設長尺物が受ける風圧荷重を低減することができる。
【００２１】
本発明の架空布設長尺物は、上記構成において、前記複数の窪み部の各々において対向する２つの角部は、前記長尺物本体の軸線と直交する方向に並ぶ位置に配置されている構成を採る。
【００２２】
この構成によれば、外周面上の窪み部の各々における対向する２つの角部が、長尺物本体の軸線と直交する方向に並ぶ位置に配置されているため、それぞれの窪み部の対向する角部によって周方向に回り込む風を軸方向に分散できる。よって、架空布設長尺物全体で受ける風圧荷重を低減することができる。
【００２３】
本発明の架空布設長尺物は、上記構成において、前記窪み部の開口形状は六角形である構成を採る。
【００２４】
この構成によれば、窪み部が六角形であるため、それぞれの角部において、架空布設長尺物が布設された際に受ける風を分散することができ、架空布設長尺物が受ける風圧荷重をより効果的に低減できる。
【発明の効果】
【００２５】
以上説明したように、本発明によれば、架空布設された場合でも、それ自体で受ける風圧荷重をより効果的に低減できる。
【発明を実施するための最良の形態】
【００２６】
以下、本発明の実施の形態について、図面を参照して詳細に説明する。
【００２７】
（実施の形態１）
図１は、本発明の実施の形態１に係る架空布設長尺物を示す部分断面図である。図２は、図１のＡ−Ａ’線矢視断面図である。なお、この実施の形態では、架空布設長尺物を、導体を被覆材により被覆してなる低抵抗電線（ケーブル）１００として説明するが、これに限らず、所定の支持部材間に掛け渡して配置される架空長尺物であれば、どのようなものでもよい。例えば、架空布設長尺物をワイヤ、より具体的には、耐食アルミ合金性の丸棒などとしてもよい。
【００２８】
図１及び図２に示す低抵抗電線１００は、導体１０１を被覆材１０２により被覆してなる長尺のものであり、例えば、鉄塔など、離間して配置される支持部材間に架空布設される。
【００２９】
この低抵抗電線１００には、被覆材１０２が構成する電線本体（長尺物本体）１１０の外周面１２０に、外周面１２０から突出する凸部１３０が形成され、この凸部１３０は、電線本体１１０の軸方向と交差する方向に屈曲される突条部１３１を含む。
【００３０】
この突条部１３１は、ここでは、それぞれ電線本体１１０の軸方向と交差する方向に延在する２つの突条辺部１３３によって構成されているものとする。
【００３１】
この凸部１３０は、外周面１２０上に設けられた複数の突条部１３１、別言すれば、複数の突条辺部１３３によって格子状をなしている。
【００３２】
外周面１２０には、格子状の凸部１３０によって仕切られる複数の窪み部１５０が形成されている。窪み部１５０は、凸部１３０における突条辺部１３３が交差する部分に形成される入り隅部によって角部を有するものとして画成されている。
【００３３】
窪み部１５０は、窪み部１５０の開口形状が菱形、つまり、電線本体１１０の外方から見て、矩形状、ここでは菱形状をなしている。そして、これら窪み部１５０は、電線本体１１０、詳細には被覆材１０２の外面部分に、互いの辺部を隣り合わせて並んで配置されている。
【００３４】
これら窪み部１５０の深さは、例えば、０．１ｍｍ〜１．０ｍｍである。別言すれば、凸部１３０の外周面１２０からの突出高さは、０．１ｍｍ〜１．０ｍｍとなっている。
【００３５】
そして、これら窪み部１５０は、凸部１３０、詳細には、屈曲する突条部１３１を構成する突条辺部１３３によって形成される角部１５１〜１５４を有する。
【００３６】
これら複数の窪み部１５０の各々における角部１５１〜１５４のうち、対向する２つの角部（例えば、図１では、角部１５２、１５３）は、電線本体１１０の軸線Ｂと直交する方向に並ぶ位置に配置されている。言い換えれば、この実施の形態における菱形の窪み部１５０では、対向する一対の角部１５２、１５３の頂点部分は、軸線Ｂと直交する平面上に位置している。
【００３７】
つまり、窪み部１５０において対向する角部１５２、１５３が軸線Ｂと直交する方向に並ぶため、軸線Ｂと直交する方向に隣り合う窪み部１５０どうしは、同じ方向に屈曲する突条部１３１により形成される角部（例えば、角部１５２）を有するものとなっている。
【００３８】
これら角部１５２、１５３は、受けた風を軸方向に分散して流すものである。なお、低抵抗電線１００における菱形の窪み部１５０は、電線本体１１０の軸線Ｂ方向に配置される角部１５１、１５４間の対角線の長さが、角部１５２、１５３間の対角線の長さよりも長いものとなっている。
【００３９】
低抵抗電線１００による作用効果を図１を参照して説明する。ここでは、図１に示す複数の窪み部１５０のうち、軸方向と直交方向に並ぶ窪み部１５０−１、１５０−２を用い、例えば、低抵抗電線１００が図１の矢印Ｃで示す方向から風圧を受けるといった局所的な場合について説明する。
【００４０】
低抵抗電線１００において窪み部１５０−１が外方から受ける風は、窪み部１５０−１の角部１５２−１により軸方向に分散される。次いで、分散された後の風は、窪み部１５０−２内に入り、窪み部１５０−２の角部１５２とともに、この角部１５２を形成する突条部１３１（詳細には、突条辺部１３３、１３３と、これらの接合部分）で、さらに軸方向に分散されることになる。つまり、風の流路としての、風を受けた面側の反対側では、気流の渦が発生しにくくなる。このような作用が、低抵抗電線１００外周面全面で生じるため、低抵抗電線１００の受ける風圧は削減する。
【００４１】
図３は、本実施の形態の低抵抗電線１００の抗力係数と風速との関係を示す図である。なお、抗力係数は風圧に相当するものである。この図３では、本実施の形態の低抵抗電線１００の抗力係数をグラフＤで示すとともに、従来の断面円形の電線の抗力係数をグラフＥで示している。
【００４２】
図３に示すように、低抵抗電線１００によれば、従来の断面円形の電線と比べて、約４割程度抗力係数が減少する。
【００４３】
このように本実施の形態によれば、電線本体１１０の外周面に、角部１５１〜１５４を有する菱形の窪み部１５０が複数形成されているため、各角部１５１〜１５４によって受けた風を分散して流し、風圧荷重を減少することができる。
【００４４】
特に、外周面１２０に形成される複数の窪み部１５０の各々における角部１５２、１５３によって、周方向に回り込む風を軸方向に分散することができるため、低抵抗電線１００全体で受ける風圧荷重を激減させることができる。低抵抗電線１００では、従来の断面円形の電線と比較して約４割の抗力係数（風圧荷重に相当）を減少することができる。
【００４５】
また、本実施の形態によれば、降雪時において、低抵抗電線１００の外周面１１０に雪が付着した場合、外周面１１０には、凸部１３０及び窪み部１５０が形成されているため、低抵抗電線１００自体が、雪の重みにより回転する。したがって、低抵抗電線１００では、降雪時において雪の付着による荷重を低減することができる。
【００４６】
なお、上記実施の形態において、凸部１３０は、格子状としたが、これに限らず、外周面１２０から突出する凸部１３０が、軸方向に交差する方向に屈曲する部分を有するものであれば、どのように形成されていてもよい。
【００４７】
例えば、電線の外周面にＶ字状に屈曲した形状の突条部（凸部）を、その屈曲部分の屈曲方向を軸方向と交差する方向にして、つまり、屈曲部分を構成する突条の２辺部分のそれぞれを電線本体の軸線と交差して配置される状態にして、複数配置したものとしてもよい。また、Ｖ字状の突条部を外周面上に複数形成する際に、等間隔に外周面全面に渡って設けても良い。なお、電線本体の外周面にＶ字形の突条部を複数設けた場合、複数のＶ字状突条部全体は、低抵抗電線１００の凸部１３０に相当する。
【００４８】
また、例えば、電線の外周面に、軸方向に沿ってジグザグに延在する長尺の突条部（凸部）を形成してもよく、さらにこのジグザグ状の突条部を、電線の外周面に、軸方向に沿って、複数並べて形成した構成としてもよい。その際、互いの屈曲部分を同方向に屈曲するように配置したり、異なる方向に屈曲するように配置したりしてもよい。
【００４９】
（実施の形態２）
図４は、本発明の実施の形態２に係る架空布設長尺物を示す部分断面図である。図５は、図４のＦ−Ｆ’線矢視断面図である。なお、この実施の形態では、架空布設長尺物を、導体を被覆材により被覆してなる低抵抗電線（ケーブル）２００として説明するが、これに限らず、低抵抗電線１００と同様、所定の支持部材間に掛け渡して配置される架空長尺物であれば、どのようなものでもよい。
【００５０】
図４及び図５に示す低抵抗電線２００は、図１及び図２に示す低抵抗電線１００における窪み部１５０の形状のみ異なり、その他の構成は同様のものである。よって、異なる構成のみ説明し、低抵抗電線１００と同様の構成については説明を省略する。
【００５１】
この低抵抗電線２００には、導体２０１を被覆する被覆材２０２が構成する電線本体（長尺物本体）２１０の外周面２２０に、複数の窪み部２５０が、等間隔で形成されている。
【００５２】
これら窪み部２５０は、窪み部２５０の開口形状が六角形、つまり、電線本体２１０の外方から見て六角形をなし、外周面２２０から突出する凸部２３０によって仕切られている。
【００５３】
窪み部２５０の深さは、それぞれ、例えば、０．１ｍｍ〜１．０ｍｍである。別言すれば、凸部２３０の外周面２２０からの突出高さは、０．１ｍｍ〜１．０ｍｍとなっている。
【００５４】
窪み部２５０において対向する一対の角部２５１、２５２は、電線本体２１０の軸線と直交する方向に並んで配置されている。換言すれば、角部２５１、２５２は、電線本体２１０の軸線と直交する平面上に位置している。なお、これら角部２５１、２５２は、それぞれ、凸部２３０において、電線本体２１０の軸方向と交差する方向に屈曲する屈曲部分（詳細には屈曲部分における入り隅部）により形成されている。これら角部２５１、２５２は、それぞれ受けた風を軸方向に分散して流すものである。
【００５５】
この低抵抗電線２００による作用効果は、低抵抗電線１００と略同様である。つまり、複数の窪み部２５０の角部により受ける風は分散され、周方向に回り込むことによって、風を受けた面と反対側の面側に発生する空気の渦を分散して、電線本体２１０が受ける風圧加重を減少することができる。特に、本実施の形態では、低抵抗電線２００は、六角の窪み部２５０を複数有するため、窪み部２５０のそれぞれの角部で受ける風を分散して、一層効果的に電線本体２１０自体の受ける羽風圧荷重を低減している。
【００５６】
なお、各実施の形態における低抵抗電線１００、２００における窪み部１５０、２５０の形状はこれに限定されることなく、角部を有する窪み部であり、角部を形成する凸部の２辺部分が互いに軸方向と交差する方向に延在するものであれば、どのような形状を成していても良い。
【００５７】
また、架空布設長尺物における窪み部の大きさ、個数等については、窪み部を有する低抵抗電線（架空布設長尺物）が受ける風圧加重を減少する効果を有するよう適宜変更可能であることは勿論である。
【産業上の利用可能性】
【００５８】
本発明に係る架空布設長尺物は、布設された際に受ける風圧荷重を減少させる効果を有し、架空布設される電線として有用である。
【図面の簡単な説明】
【００５９】
【図１】本発明の実施の形態１に係る架空布設長尺物を示す部分断面図
【図２】図１のＡ−Ａ’線矢視断面図
【図３】本発明の実施の形態１に係る架空布設長尺物の抗力係数と風速との関係を示す図
【図４】本発明の実施の形態２に係る架空布設長尺物を示す部分断面図
【図５】図４のＦ−Ｆ’線矢視断面図
【符号の説明】
【００６０】
１００、２００  低抵抗電線
１０１、２０１  導体
１１０、２１０  電線本体
１２０、２２０  外周面
１３０、２３０  凸部
１３１  突条部
１３３  突条辺部
１５０、２５０  窪み部
１５２、１５３、２５１、２５２  角部
【図１】
2006156016.tif 000003
【図２】
2006156016.tif 000004
【図３】
2006156016.tif 000005
【図４】
2006156016.tif 000006
【図５】
2006156016.tif 000007